(57)【要約】    【課題】  ノブのガタつきを押さえることができるとともに小型化を図ることができる押圧操作型スイッチユニットを提供する。    【解決手段】  ノブ４を第１のスイッチ３を介在させて支持板５に固定する。支持板５とベース８との間に、ノブ４の押圧方向Ｄ１と直交する方向Ｄ３の振れを抑制するとともに、ノブ４をカバー６の方へ付勢するダンパ９を介在させる。【選択図】        図１
2007048689.tif 000002
【特許請求の範囲】
【請求項１】
第１の押圧力で押圧されたことを感知する第１感圧部を有する第１のスイッチと、
この第１のスイッチの上方に配置されるノブと、
前記第１のスイッチを介して前記ノブの下面を支持する支持板と、
少なくとも前記ノブの一部を上方へ逃がす開口部を有し、前記ノブの反スイッチ押圧方向への移動を規制するケースと、
前記支持板の下方に配置され、前記第１感圧部が前記第１の押圧力よりも大きな第２の押圧力で押圧されたことを感知する第２感圧部を有する第２のスイッチと、
この第２のスイッチの下面を支持するベースと、
このベースと前記支持板との間に配置され、スイッチ押圧方向と直交する方向への前記ノブの振れを抑えるとともに反スイッチ押圧方向へ前記ノブを付勢するダンパと
を備えていることを特徴とする押圧操作型スイッチユニット。
【請求項２】
押圧を感知する感圧部を有するスイッチと、
このスイッチの上方に配置されるノブと、
少なくとも前記ノブの一部を上方へ逃がす開口部を有し、前記ノブの反スイッチ押圧方向への移動を規制するケースと、
前記スイッチの下面を支持するベースと、
このベースと前記ノブとの間に配置され、スイッチ押圧方向と直交する方向への前記ノブの振れを抑えるとともに反スイッチ押圧方向へ前記ノブを付勢するダンパと
を備えていることを特徴とする押圧操作型スイッチユニット。
【請求項３】
前記ダンパが複数の板ばねで構成され、
前記板ばねが、前記支持板側に固定される第１固定部と、前記ベース側に固定される第２固定部と、所定の隙間を介して相対する前記第１、第２固定部を連結するばね部とを有することを特徴とする請求項１記載の押圧操作型スイッチユニット。
【請求項４】
前記ダンパが複数の板ばねで構成され、
前記板ばねが、前記ノブ側に固定される第１固定部と、前記ベース側に固定される第２固定部と、所定の隙間を介して相対する前記第１、第２固定部を連結するばね部とを有することを特徴とする請求項２記載の押圧操作型スイッチユニット。
【請求項５】
前記ダンパが単一の板ばねで構成され、
前記板ばねが、前記第２感圧部と対向する第１の切欠き部を有し、前記支持板側に固定される第１プレート部と、前記第１の切欠き部と対向する第２の切欠き部を有し、前記ベース側に固定される第２プレート部と、所定の隙間を介して相対する前記第１、第２プレート部を連結するばね部とを有することを特徴とする請求項１記載の押圧操作型スイッチユニット。
【請求項６】
前記ダンパが単一の板ばねで構成され、
前記板ばねが、前記ノブ側に固定される第１プレート部と、前記ベース側に固定される第２プレート部と、所定の隙間を介して相対する前記第１、第２プレート部を連結するばね部とを有することを特徴とする請求項２記載の押圧操作型スイッチユニット。
【請求項７】
前記ばね部の断面がほぼＶ形であることを特徴とする請求項３〜６のいずれか１項記載の押圧操作型スイッチユニット。
【請求項８】
前記ダンパが可撓性合成樹脂シートで形成されたことを特徴とする請求項１〜７のいずれか１項記載の押圧操作型スイッチユニット。
【請求項９】
前記ばね部の開放側が前記所定の隙間へ向いていることを特徴とする請求項７記載の押圧操作型スイッチユニット。
【請求項１０】
折り重ねた１つのフレキシブル基板が前記第１、第２のスイッチの一構成部品として採用され、そのフレキシブル基板の折曲げ部によって前記ダンパが構成されていることを特徴とする請求項１記載の押圧操作型スイッチユニット。
【請求項１１】
折り重ねた１つのフレキシブル基板が前記スイッチの一構成部品として採用され、その折曲げ部によって前記ダンパが構成されていることを特徴とする請求項２記載の押圧操作型スイッチユニット。
【発明の詳細な説明】
【技術分野】
【０００１】
この発明は押圧力を感知する感圧部を有するスイッチを備えた押圧操作型スイッチユニットに関する。
【背景技術】
【０００２】
従来、ノブが硬質樹脂で形成されたスイッチでは、ノブは少しガタつく。このノブのガタには、スイッチ押圧方向のガタと、スイッチ押圧方向と直交する方向のガタとがある。これらガタは入力ミスを招くという問題があった。
【０００３】
また、ガタは入力操作感の低下を招き、そのスイッチを備えた機器の商品価値を下げる一因になっていた。
【０００４】
そのため、押圧スイッチに関し、コストをかけずにできるだけ押圧部のガタを少なくすることが望まれていた。
【０００５】
この問題を解決する２段式の押圧操作型スイッチユニットとして、特開２００４−３２７４３０号公報に記載されたものが知られている。
【０００６】
この押圧操作型スイッチユニットはノブと第１メンブレンシートと補強板と第２メンブレンシートとクリック板とプッシャとケースとカバーとを備える。
【０００７】
ノブは弾性シートとこの弾性シートに一体に形成された複数の押圧部とを有する。
【０００８】
第１メンブレンシートはノブの押圧部にそれぞれ対向する複数の１段目スイッチを有する。
【０００９】
補強板の上面に第１メンブレンシートが配置されている。
【００１０】
第２メンブレンシートは補強板の下面に貼り付けられている。第２メンブレンシートは補強板の中央部に対向する１つのスイッチ本体を有する。
【００１１】
クリック板は第２メンブレンシートの下面に取り付けられ、第２メンブレンシートのスイッチ本体を覆う。
【００１２】
プッシャは、第２メンブレンシート、補強板等を弾性的に支持するドーム部と、ドーム部の周縁部が押圧されたときにクリック板を介してスイッチ本体に圧接する突起とを有する。
【００１３】
ケースは、裏面板と、この裏面板の周縁に形成された側壁とを有する。ケースはプッシャ、クリック板、第２メンブレンシート、補強板、第１メンブレンシート等を収容する。ケースの裏面板はプッシャを支持する。
【００１４】
カバーはノブの弾性シートの周縁部を介してケースの側壁に固定される。ノブは側壁の上端に張られた状態で保持される。
【００１５】
この押圧操作型スイッチユニットのノブの押圧部を第１の力で押圧すると、弾性シートが撓み、押圧部が下がる。押圧部が下がると、１段目スイッチがオンになる。そして、押圧部を第１の力よりも強い第２の力で押圧すると、補強板が下がり、プッシャのドーム部の周縁部が押圧されてドーム部が潰れ、このときに第２メンブレンシートのスイッチ本体がクリック板を介してプッシャの突起に圧接し、スイッチ本体がオンになる。
【００１６】
また、ノブをケースの側壁に張るようにしたので、ノブが第１メンブレンシートに押し付けられてノブの押圧方向のガタが抑制されるとともにノブの押圧方向と直交する方向のガタが抑制される。
【００１７】
上述のノブのガタの問題を解決するための他の従来例として、１段式の押圧操作型スイッチユニットがある。この押圧操作型スイッチユニットでは、ノブの一部をスイッチ押圧方向と直交する方向へ延ばすことによってアームが形成され、このアームがベースにヒンジ結合されている。
【００１８】
この押圧操作型スイッチユニットでは、ノブを押圧すると、ヒンジ結合部分を中心にしてノブが旋回するようにベースの方へ移動し、ベース上に配置したスイッチを押圧する。この結果、スイッチがオンになる。
【特許文献１】特開２００４−３２７４３０号公報（段落００１６〜００１８、図４参照）
【発明の開示】
【発明が解決しようとする課題】
【００１９】
従来の２段式の押圧操作型スイッチユニットでは、上述のように、ノブをケースの側壁に張るために、ノブの弾性シートに周縁部（フランジ状の部分）を設けた。このため、ノブが大型化し、押圧操作型スイッチユニットが大型化するという問題があった。
【００２０】
また、１段式の押圧操作型スイッチユニットではノブの一部をスイッチ押圧方向と直交する方向へ延ばしてアームを形成し、このアームをベースの一部をベースにヒンジ結合するようにしたので、やはり、押圧操作型スイッチユニットが大型化するという問題があった。
【００２１】
この発明はこのような事情に鑑みてなされたもので、その課題はノブのガタつきを抑えることができるとともに小型化を図ることができる押圧操作型スイッチユニットを提供することである。
【課題を解決するための手段】
【００２２】
前述の課題を解決するため請求項１の発明の押圧操作型スイッチユニットは、第１の押圧力で押圧されたことを感知する第１感圧部を有する第１のスイッチと、この第１のスイッチの上方に配置されるノブと、前記第１のスイッチを介して前記ノブの下面を支持する支持板と、少なくとも前記ノブの一部を上方へ逃がす開口部を有し、前記ノブの反スイッチ押圧方向への移動を規制するケースと、前記支持板の下方に配置され、前記第１感圧部が前記第１の押圧力よりも大きな第２の押圧力で押圧されたことを感知する第２感圧部を有する第２のスイッチと、この第２のスイッチの下面を支持するベースと、このベースと前記支持板との間に配置され、スイッチ押圧方向と直交する方向への前記ノブの振れを抑えるとともに反スイッチ押圧方向へ前記ノブを付勢するダンパとを備えていることを特徴とする。
【００２３】
上述のように、ベースと支持板との間に配置されたダンパによってノブのスイッチ押圧方向と直交する方向への振れが抑制され、反スイッチ押圧方向へノブが付勢され、この付勢力によってノブのスイッチ押圧方向の振れは抑制される。
【００２４】
請求項２の発明の押圧操作型スイッチユニットは、押圧を感知する感圧部を有するスイッチと、このスイッチの上方に配置されるノブと、少なくとも前記ノブの一部を上方へ逃がす開口部を有し、前記ノブの反スイッチ押圧方向への移動を規制するケースと、前記スイッチの下面を支持するベースと、このベースと前記ノブとの間に配置され、スイッチ押圧方向と直交する方向への前記ノブの振れを抑えるとともに反スイッチ押圧方向へ前記ノブを付勢するダンパとを備えていることを特徴とする。
【００２５】
上述のように、ベースとノブとの間に配置されたダンパによってノブのスイッチ押圧方向と直交する方向への振れが抑制され、反スイッチ押圧方向へノブが付勢され、この付勢力によってノブのスイッチ押圧方向の振れが抑制される。
【００２６】
以上の結果、従来技術のノブのガタつきを抑えるための構成が不要となる。
【００２７】
請求項３の発明は、請求項１記載の押圧操作型スイッチユニットにおいて、前記ダンパが複数の板ばねで構成され、前記板ばねが、前記支持板側に固定される第１固定部と、前記ベース側に固定される第２固定部と、所定の隙間を介して相対する前記第１、第２固定部を連結するばね部とを有することを特徴とする。
【００２８】
請求項４の発明は、請求項２記載の押圧操作型スイッチユニットにおいて、前記ダンパが複数の板ばねで構成され、前記板ばねが、前記ノブ側に固定される第１固定部と、前記ベース側に固定される第２固定部と、所定の隙間を介して相対する前記第１、第２固定部を連結するばね部とを有することを特徴とする。
【００２９】
請求項５の発明は、請求項１記載の押圧操作型スイッチユニットにおいて、前記ダンパが単一の板ばねで構成され、前記板ばねが、前記第２感圧部と対向する第１の切欠き部を有し、前記支持板側に固定される第１プレート部と、前記第１の切欠き部と対向する第２の切欠き部を有し、前記ベース側に固定される第２プレート部と、所定の隙間を介して相対する前記第１、第２プレート部を連結するばね部とを有することを特徴とする。
【００３０】
請求項６の発明は、請求項２記載の押圧操作型スイッチユニットにおいて、前記ダンパが単一の板ばねで構成され、前記板ばねが、前記ノブ側に固定される第１プレート部と、前記ベース側に固定される第２プレート部と、所定の隙間を介して相対する前記第１、第２プレート部を連結するばね部とを有することを特徴とする。
【００３１】
請求項７の発明は、請求項３〜６のいずれか１項記載の押圧操作型スイッチユニットにおいて、前記ばね部の断面がほぼＶ形であることを特徴とする。
【００３２】
請求項８の発明は、請求項１〜７記載の押圧操作型スイッチユニットにおいて、前記ダンパが可撓性合成樹脂シートで形成されたことを特徴とする。
【００３３】
請求項９の発明は、請求項７記載の押圧操作型スイッチユニットにおいて、前記ばね部の開放側が前記所定の隙間へ向いていることを特徴とする。
【００３４】
請求項１０の発明は、請求項１記載の押圧操作型スイッチユニットにおいて、折り重ねた１つのフレキシブル基板が前記第１、第２のスイッチの一構成部品として採用され、そのフレキシブル基板の折曲げ部によって前記ダンパが構成されていることを特徴とする。
【００３５】
請求項１１の発明は、請求項２記載の押圧操作型スイッチユニットにおいて、折り重ねた１つのフレキシブル基板が前記スイッチの一構成部品として採用され、その折曲げ部によって前記ダンパが構成されていることを特徴とする。
【発明の効果】
【００３６】
以上説明したようにこの発明の押圧操作型スイッチユニットによれば、ノブのガタつきを抑えることができるとともに小型化を図ることができる。
【発明を実施するための最良の形態】
【００３７】
以下、この発明の実施の形態を図面に基づいて説明する。
【００３８】
図１はこの発明の第１実施形態に係る押圧操作型スイッチユニットを斜め上方から見たときの分解斜視図、図２は図１の押圧操作型スイッチユニットを斜め下方から見たときの分解斜視図、図３は押圧操作型スイッチユニットの断面図、図４は第１及び第２のスイッチの展開図、図５は第１のスイッチの第１感圧部の断面図、図６は第２のスイッチの第２感圧部の断面図、図７はダンパとなる板ばねの展開状態を示す斜視図、図８は図７に示す板ばねを裏返した状態を示す斜視図、図９はダンパの斜視図である。
【００３９】
この押圧操作型スイッチユニットは２段式であり、例えばナビゲーションシステム等の操作スイッチとして好適である。図１〜図３に示すように、この押圧操作型スイッチユニットは第１のスイッチ３とノブ４と支持板５とカバー（ケース）６と第２のスイッチ７とベース８とダンパ９とを備える。
【００４０】
図４に示すように、第１のスイッチ３と第２のスイッチ７とは連結されている。図１，２では、第１のスイッチ３と第２のスイッチ７とが分離された状態で描かれている。
【００４１】
第１のスイッチ３は第１可撓性シート３１と第２可撓性シート３２と９つの可動接点３３と９つの固定接点３４とスペーサ３５（図５参照）とを有する。
【００４２】
第１可撓性シート３１、第２可撓性シート３２及び後述する可撓性シート７１は１枚の可撓性を有する合成樹脂シートを打ち抜くことによって形成されている。この合成樹脂としては、例えば、ＰＥＴ(polyethylene terephthalate)、ポリイミド、ポリカーボネイト、ウレタン等が挙げられる。
【００４３】
第１可撓性シート３１は、矩形の可動接点配置部３１ａと、これに結合されたＬ字形の結合部３１ｂとを有する。
【００４４】
第２可撓性シート３２は、矩形の固定接点配置部３２ａと、これに結合されるとともに結合部３１ｂに結合されたＩ字形の結合部３２ｂとを有する。
【００４５】
９つの可動接点３３は可動接点配置部３１ａに印刷により形成され、格子状に配列されている。９つの固定接点３４は固定接点配置部３２ａに印刷により形成され、格子状に配列されている。
【００４６】
スペーサ３５は複数の孔３５ａを有し（図５では１つしか示していない）、第１可撓性シート３１と第２可撓性シート３２との間に介在する。
【００４７】
第２のスイッチ７は可撓性シート７１と第１固定接点７２と第２固定接点７３とクリック板７４（図６参照）とを有する。
【００４８】
可撓性シート７１は、矩形の固定接点配置部７１ａと、これに結合されたＩ字形の引出部７１ｂと、引出部７１ｂの一側から延び、結合部３１ｂに結合されたＩ字形の結合部７１ｃとを有する。
【００４９】
第１固定接点７２は円形であり、接点配置部７１ａの中心部に印刷により形成されている。第２固定接点７３はＣ字形であり、接点配置部７１ａの中心部に印刷により形成され、第１固定接点７２を囲んでいる。
【００５０】
クリック板７４（図３参照）は可動接点を兼ねており、第２固定接触点７３上に固定される。
【００５１】
第１、第２可撓性シート３１，３２、可撓性シート７１には印刷により第１導電路１１、第２導電路１２、第３導電路１３及び第４導電路１４が形成されている。
【００５２】
第１導電路１１は引出部７１ｂから９つの可動接点３３へ延びる。９つの第２導電路１２はそれぞれ引出部７１ｂから固定接点３４へ延びる。第３導電路１３は引出部７１ｂから第１固定接点７２へ延びる。第４導電路１４は引出部７１ｂから第２固定接点７３へ延びる。
【００５３】
第２可撓性シート３２は折曲げ線Ｌ１で第１可撓性シート３１の方へ折り返される。このとき、第１可撓性シート３１と第２可撓性シート３２との間にスペーサ３５が配置される。スペーサ３５の一面は第１可撓性シート３１に貼り付けられ、スペーサ３５の他面は第２可撓性シート３２に貼り付けられる。これにより、第１可撓性シート３１と第２可撓性シート３２とスペーサ３５とが一体となる。可動接点３３及び固定接点３４はスペーサ３５の孔３５ａに収容され、可動接点３３と固定接点３４とが互いに対向する。
【００５４】
第１、第２可撓性シート３１，３２は折曲げ線Ｌ２で可撓性シート７１の方へ折り返される。
【００５５】
上述の第１、第２可撓性シート３１，３２、スペーサ３５、可動接点３３、固定接点３４で第１感圧部３６が構成される（図５参照）。ノブ４を例えば撫でる程度の第１の押圧力で第１感圧部３６を押圧すると、可動接点３３が固定接点３４に接触し、第１感圧部３６に第１の押圧力が作用したことが検出される。
【００５６】
また、上述の可撓性シート７１、第１固定接点７２、第２固定接点７３、クリック板７４で第２感圧部７５が構成される。ノブ４を第１の押圧力よりも強い第２の押圧力で押圧すると、その押圧力が支持板５等を介して第２感圧部７５に伝わり、クリック板７４が反転して第１固定接点７２と接触し、両固定接点７２，７３間を導通する。この結果、第２感圧部７５に第２の押圧力が作用したことが検出される。
【００５７】
ノブ４は図３に示すように入力側部材４１と出力側部材４２とからなる。ノブ４は両面テープ４３で第１のスイッチ３の上面に固定されている。
【００５８】
入力側部材４１はシート部４１ａと９つのキー部４１ｂとを有する。これらは弾性材料で一体成形されている。この材料としては例えばシリコンゴムが挙げられる。９つのキー部４１ｂはシート部４１ａの上面に形成され、それぞれ第１感圧部３６と対向する。
【００５９】
出力側部材４２はシート部４２ａと９つの押圧突起４２ｂとを有する。これらは入力側部材４１と同じ材料で一体成形されている。９つの押圧突起４２ｂはシート部４２ａに下面に形成され、それぞれ第１感圧部３６と対向する。出力側部材４２は両面テープ（図示せず）で入力側部材４１に貼り付けられている。
【００６０】
図１〜３に示すように、支持板５は１枚の金属薄板を矩形に打ち抜いて形成されたものである。支持板５の下面中央には押圧突起５１が形成されている。押圧突起５１は第２感圧部７５と対向する。支持板５は第１のスイッチ３の下面を支持する。
【００６１】
カバー６は硬質の合成樹脂で形成されている。カバー６は枠状であり、開口部６１を有する。カバー６の下面には２つのボス６２が形成されている。ボス６２は雌ネジ６２ａを有する。カバー６の開口部６１はノブ４のキー部４１ｂを上方へ逃すが、ノブ６の反押圧方向Ｄ２（図１参照）への移動は規制する。
【００６２】
ベース８はほぼ矩形で、両側縁に固定片８１が形成されている。固定片８１には雌ネジ６２ａに対向する孔８１ａが形成されている。ベース８の上面には両面テープ（図示せず）で第２のスイッチ７が貼り付けられている。孔８１ａに挿入されたボルト２１をカバー６の雌ねじ６２ａにねじ込むことにより、ベース８はカバー６に固定される。
【００６３】
図７〜９に示すように、ダンパ９は可撓性合成樹脂シートで形成された単一の板ばね９０で構成されている。この可撓性合成樹脂シートとしては、例えば、ＰＥＴ製のシート、ポリカーボネイト製のシート等が挙げられる。板ばね９０は、第１プレート部９１と第２プレート部９２と第３プレート部９３と第１ばね部９４と第２ばね部９５とを有する。第１〜第３プレート部９１〜９３の裏面には粘着材９６（図８の梨地で示された部分）が塗布されている。第１プレート部９１は第２感圧部７５と対向する第１の切欠き部９１ａを有し、粘着剤９６により支持板５に固定される。第２プレート部９２は第１の切欠き部９１ａと対向する第２の切欠き部９２ａを有し、第２のスイッチ７を介してベース８に粘着剤９６で固定される。第３プレート部９３は第２の切欠き部９２ａと対向する第３の切欠き部９３ａを有し、第１プレート９１の下面に粘着剤９６で固定される。第１ばね部９４は切欠き部９４ａを有し、第１プレート部９１と第２プレート部９２との間に位置する。第１ばね部９４は、板ばね９０を後述するように折り曲げたとき、第１プレート部９１と第２プレート部９２とが所定の隙間を介して相対するように、第１プレート部９１と第２プレート部９２とを連結する。第１ばね部９４のばね力は切欠き部９４ａの大きさを変化させることによって調整可能である。第２ばね部９５は切欠き部９５ａを有し、第２プレート部９２と第３プレート部９３との間に位置する。第２ばね部９５は、板ばね９０を後述するように折り曲げたとき、第１プレート部９１と第２プレート部９２とが所定の隙間を介して相対するように、第１プレート部９１と第２プレート部９２との間に介在する。第２ばね部９５のばね力は切欠き部９５ａの大きさを変化させることによって調整可能である。
【００６４】
単一の板ばね９０の折り曲げによりダンパ９を作るには、まず、第２ばね部９５をその断面形状がＶ字形になるように図８の矢印Ａ１の方向へ折り曲げる。これにより、第３プレート部９３を第２プレート部９２に対向させる。
【００６５】
次に、第１ばね部９４をその断面形状がＶ字形になるように図８の矢印Ａ２の方向へ折り曲げる。これにより、第３プレート部９３の上面（図８は天地が逆になっている）に第１プレート部９１を貼り付ける。
【００６６】
以上の工程を経て、図９に示すダンパ９が完成する。Ｖ字形の第１、第２ばね部９４，９５の開放側は第１、第２プレート部９１，９２間の隙間へ向く。
【００６７】
第１、第２ばね部９４，９５は、Ｖ字形に折り曲げられているので、第１プレート部９１をｚ方向へ弾性的に支持する。また、第１、第２ばね部９４，９５は、Ｖ字形に折り曲げられているので、第１プレート部９１にｘ，ｙ方向の外力が加わると、その外力に抵抗する。
【００６８】
図３に示すように、ダンパ９は第２のスイッチ７を介してベース８上に固定されている。また、ダンパ９の上面は支持板５の下面に貼り付けられている。これにより、ダンパ９は支持板５を介して押圧方向Ｄ１（図１参照）と直交する方向Ｄ３へのノブ４の振れを抑えるとともに反押圧方向Ｄ２へノブ４を付勢する。
【００６９】
図１０は押圧操作型スイッチユニットのノブに指先が接触している状態を示す断面図、図１１は押圧操作型スイッチユニットのノブ上の指先を移動した状態を示す断面図、図１２は押圧操作型スイッチユニットのノブに指先が接触している状態を示す断面図、図１３は押圧操作型スイッチユニットのノブのキー部が指先によって押圧された状態を示す断面図である。
【００７０】
図１０に示すように、指Ｆをノブ３のキー部４１ｂに置き、第１の押圧力で押圧すると、キー部４１ｂの裏側に位置する押圧突起４２ｂによってその押圧突起４２ｂの下に位置する第１感圧部３６（図５参照）が押圧され、その位置の第１感圧部３６が押圧されたことを表わす検出信号が出力される。この検出信号に基づいて図示しないディスプレイ上に、押圧された第１感圧部３６に対応する項目（ナビゲーションシステムの特定の項目）が選択されていることが表示される。キー部４１ｂが第１の押圧力で押圧されるとき、支持板５はほとんど動かない。
【００７１】
もし、操作者が項目の選択を誤ったときは、例えば、図１１の矢印に示すように、指Ｆを他のキー部４１ｂへ滑らせればよい。その結果、キー部４１ｂの裏側に位置する押圧突起４２ｂによってその押圧突起４２ｂの下に位置する第１感圧部３６が押圧され、その位置の第１感圧部３６が押圧されたことを表わす検出信号が出力され、別の項目が選択されたことがディスプレイ上に表示される。
【００７２】
図１２に示すように、操作者は目的の項目が選択されたことを認識したらキー部４１ｂを第２の押圧力で押圧する。キー部４１ｂが第２の押圧力で押圧されると、図１３に示すように、ダンパ９の第１ばね部９４が潰れるとともにダンパ９の第２ばね部９５が常に支持板５の右端部をノブ４を介してカバー６に押し付けるので、支持板５はその右端部を中心にして回転する。このときのノブ４の押圧方向Ｄ１（図１参照）と直交する方向Ｄ３の振れが、ダンパ９によって抑制される。また、ダンパ９によって支持板５の右端部が常にカバー６に押し付けられるので、ノブ４の押圧方向Ｄ１及び反押圧方向Ｄ２の振れも抑制される。このように、支持板５がその右端部を中心にして回転すると、支持板５の押圧突起５１によってクリック板７４が反転するとともにクリック板７４の中心部が第１固定接点７２（図６参照）に接触し、第２感圧部７５が押圧されたことを表わす検出信号が出力される。この検出信号に基づいてキー部４１ｂの下に位置する第１感圧部３６が押圧されることによって選択された項目のプログラムが実行される。
【００７３】
第１実施形態の押圧操作型スイッチユニットによれば、ベースと支持板との間に配置されたダンパによってノブのスイッチ押圧方向と直交する方向への振れが抑制され、反スイッチ押圧方向へノブが付勢され、この付勢力によってノブのスイッチ押圧方向の振れが抑制されるので、ノブ４を小型化することができ、ひいては押圧操作型スイッチユニットを小型化することができる。
【００７４】
また、ダンパ９が可撓性合成樹脂シートで形成されているので、押圧操作型スイッチユニットの低背化も達成できる。
【００７５】
更に、第１、第２ばね部９４，９５の開放側が第１、第２プレート部９１，９２間の隙間へ向いているので、ダンパ９が押圧方向Ｄ１へ潰れたときの厚みを薄くすることができる。この結果、押圧操作型スイッチユニットをより低背化することができる。
【００７６】
また、ダンパ９を単一の板ばね９０で構成したので、簡素な構成でノブ４のガタつきを確実に抑制することができる。
【００７７】
更に、ダンパ９のばね部９４，９５の断面がほぼＶ字形であるので、ノブ４のガタつきをより確実に抑制することができる。
【００７８】
なお、この実施形態では、ダンパ９を可撓性合成樹脂シートで形成したが、ダンパ９の材料としては可撓性合成樹脂シートに限られず、金属薄板等を用いてもよい。
【００７９】
また、第１のスイッチ３は上述のものに限られず、例えば、メンブレンスイッチ等を採用してもよい。第２のスイッチ７も上述のものに限られず、例えば、タクトスイッチ等を採用してもよい。
【００８０】
なお、第１実施形態では、ベース８は第２のスイッチ７の下面を直接支持しているが、ベース８は必ずしも第２のスイッチ７を直接支持する必要は無く、例えば、第２のスイッチ７をクリック板７４ごと裏返し、このクリック板７４を介して第２のスイッチ７を支持するようにしてもよい。
【００８１】
また、第１実施形態では、ダンパ９を第２のスイッチ７上に配置したが、ダンパ９の配置場所は第２のスイッチ７上に限られず、ダンパ９はベース８と支持板５との間のどこかに配置されていればよく、例えば、ダンパ９をベース８と第２のスイッチ７との間に配置してもよい。
【００８２】
図１４は図７〜９に示すダンパの第１の変形例を示す斜視図、図１５は同ダンパの第２の変形例を示す斜視図、図１６は同ダンパの第３の変形例を示す斜視図である。
【００８３】
第１実施形態に係る押圧操作型スイッチユニットでは、図７〜９に示すダンパ９の代わりに図１４〜１６に示すダンパを用いることができる。
【００８４】
図１４に示すダンパ１０９は、図７〜９に示すダンパ９から第１及び第３プレート部９１，９３を削除したものである。
【００８５】
図１５に示すダンパ１０９´は図１４に示すダンパ１０９の上下を逆にしたものである。
【００８６】
図１６に示すダンパ１１９は、複数の板ばね１９０で構成されている。板ばね１９０は第１固定部１９１と第２固定部１９２とばね部１９４とを有する。
【００８７】
第１固定部１９１は支持板５に固定される。第２固定部１９２は第２のスイッチ７を介してベース８に固定される。ばね部１９４は所定の隙間を介して相対する第１、第２固定部１９１，１９２を連結する。
【００８８】
なお、この例では、各板ばね１９０の第２固定部１９２をそれぞれベース８に固定して複数の板ばね１９０の間に第２のスイッチ７を配置するようにしてもよい。
【００８９】
図１４〜１６に示すダンパを用いた押圧操作型スイッチユニットは、第１実施形態に係る押圧操作型スイッチユニットと同様の作用効果を奏する。
【００９０】
図１７はこの発明の第２実施形態に係る押圧操作型スイッチユニットの分解斜視図である。
【００９１】
第１実施形態に係る押圧操作型スイッチユニットと共通する部分については同一符号を付してその説明を省略する。以下、主な相違部分についてだけ説明する。
【００９２】
第１、第２のスイッチ２０３，２０７は、第１実施形態の押圧操作型スイッチユニットの第１、第２のスイッチ３，７と形状の点で異なるが、それぞれの基本構成は第１、第２のスイッチ３，７と同様である。
【００９３】
第１のスイッチ２０３は円形の接点配設部２３７と結合部２３８とを有する。接点配設部２３７には孔２３７ａが形成されている。孔２３７ａは後述するノブ２０４の中心部押圧突起（図示せず）を通す。接点配設部２３７には８つの第１感圧部（図示せず）が設けられている。８つの第１感圧部はそれぞれ後述する第の２スイッチ２０７の４つの第２感圧部２７５と組み合わされる。
【００９４】
第２のスイッチ２０７は円形の接点配設部２７７と引出部２７８と結合部２７９とを有する。接点配設部２７７の中央部には感圧部２７６が設けられている。感圧部２７６は第１感圧部とは組み合わされずに単独で用いられる。感圧部２７６はクリック板２７６ａを有する。感圧部２７６は例えば電源スイッチとして用いられる。接点配設部２７７には感圧部２７６を囲ように４つの第２感圧部２７５が設けられている。第２感圧部２７５はクリック板７４を有する。結合部２７９は第１のスイッチ２０３の結合部２３８に連結されている。
【００９５】
ノブ２０４は円形であり、その中心部にはボタン部２４６が形成され、その周りにはリング状のキー部２４７が形成され、その外側にはリング状突起２４８が形成されている。ボタン部２４６の下面には後述する第２のスイッチ２０７の感圧部７６を押圧する中心部押圧突起（図示せず）が形成されている。キー部２４７の下面には第１感圧部をそれぞれ押圧する第１押圧突起（図示せず）が形成されている。
【００９６】
支持板２０５はほぼ円形であり、中心部には孔２５２が形成されている。この孔２５２はノブ２０４の中心部押圧突起を通す。支持板２０５の外周縁には４つの突片２５３が形成されている。
【００９７】
カバー２０６はほぼリング状であり、開口部２６１を有する。開口部２６１はノブ２０４のボタン部２４６、キー部２４７及びリング状部２４８を上方へ逃す。カバー２０６の外周面には４つのフック２６４が形成されている。また、カバー２０６の内周面には溝２６３が形成されている。４つの溝２６３はそれぞれ支持板２０５の４つの突片２５３を押圧方向Ｄ１及び反押圧方向Ｄ２へガイドする。
【００９８】
ベース２０８はほぼ円形である。ベース２０８の外周縁には係止片２８２が形成されている。係止片２８２にはカバー２０６のフック２６４を受け入れる孔２８２ａが形成されている。この係止片２８３をカバー２０６のフック２６４に引っ掛けることにより、ベース２０８はカバー２０６に係止される。
【００９９】
ダンパ２０９は第１実施形態の押圧操作型スイッチユニットのダンパ９と同様に、可撓性合成樹脂シート（図示せず）を折り畳むことにより形成されている。ダンパ２０９は第１プレート部２９１、第２プレート部２９２、第１ばね部２９４及び第２ばね部２９５を有する。第１プレート部２９１は１対の切欠部２９１ａ、１対の孔２９１ｂ及び中心孔２９１ｃを有する。第２プレート部２９２は、１対の切欠部２９２ａ及び中心孔２９２ｃを有する。切欠部２９１ａ，２９２ａ及び孔２９１ｂは支持板２０５の第２押圧突起（図示せず）を通す。中心孔２９１ｃ，２９２ｃはノブ２０４の中心部押圧突起を通す。
【０１００】
第２実施形態に係る押圧操作型スイッチユニットによれば、第１実施形態に係る押圧操作型スイッチユニットと同様の作用効果が得られる。
【０１０１】
図１８は図１７に示すダンパの変形例を示す斜視図、図１９は図１８のＢ−Ｂ線に沿う断面図である。
【０１０２】
第２実施形態に係る押圧操作型スイッチユニットでは、図１７に示すダンパ２０９の代わりに図１８，１９に示すダンパを用いることができる。
【０１０３】
ダンパ２０９は上述のように、可撓性合成樹脂シートを折り畳んで形成したが、図１８，１９に示すダンパ２１９は可撓性を有する合成樹脂を成形してなる。
【０１０４】
ダンパ２１９は第１プレート部２９７と第２プレート部２９８とばね部２９９とを有する。第１プレート部２９７には、４つの孔２９７ａと中心孔２９７ｃとが形成されている。第２プレート部２９８には、４つの孔２９８ａと中心孔２９８ｃとが形成されている。ばね部２９９は環状である。
【０１０５】
第２実施形態に係る押圧操作型スイッチユニットでは、弾性を有するノブ２０４の代わりに、剛性を有する合成樹脂で形成されたノブ（図示せず）を用いることができる。この剛性を有するノブの形状はノブ２０４と同じでよい。
【０１０６】
図２０はこの発明の第３実施形態に係る押圧操作型スイッチユニットの分解斜視図、図２１は図２０に示す第１、第２のスイッチ及びダンパの展開図、図２２は図２０に示す第１、第２のスイッチ及びダンパの斜視図である。
【０１０７】
第２実施形態に係る押圧操作型スイッチユニットと共通する部分については同一符号を付してその説明を省略する。以下、主な相違部分についてだけ説明する。
【０１０８】
第２実施形態に係る押圧操作型スイッチユニットでは第１、第２のスイッチ２０３，２０７とダンパ２０９とは別体であるが、第３実施形態に係る押圧操作型スイッチユニットでは、第１、第２のスイッチ３０３，３０７とダンパ３０９とは一体である。
【０１０９】
このために、可撓性合成樹脂（例えば、ＰＥＴ、ポリカーボネイト）シートで形成された１枚の板ばね３９０（図２１参照）を用いている。
【０１１０】
板ばね３９０は第１プレート部３３１と第２プレート部３３２と第３プレート部３７１と第４プレート部３９１と第１ばね部３９４と第２ばね部３９５とを有する。
【０１１１】
第１プレート部３３１の中心部には中心孔３３１ａが形成されている。第１プレート部３３１の周縁部には８つの可動接点３３３が形成されている。
【０１１２】
第２プレート部３３２の中心部には中心孔３３２ａが形成されている。第２プレート部３３２の周縁部には８つの固定接点３３４が形成されている。第２プレート部３３２は結合片３３５を介して第１プレート部３３３に結合されている。
【０１１３】
第３プレート部３７１の中心部には円形の第１固定接点２７６ｂが形成され、その周りには第２固定接点２７６ｃが形成されている。第３プレート部３７１の周縁部には４つの円形の第１固定接点３７２が形成され、各第１固定接点３７２の周りにはそれぞれ第２固定接点３７３が形成されている。
【０１１４】
第４プレート部３９１の周縁部には４つの孔３９１ａが形成されている。第４プレート部３９１の中心部には中心孔３９１ｃが形成されている。
【０１１５】
第１ばね部３９４は第３プレート部３７１と第４プレート部３９１との間に介在するとともにこれらを結合している。
【０１１６】
第２ばね部３９５は第１プレート部３３１と第３プレート部３７１との間に介在するとともにこれらを結合している。
【０１１７】
板ばね３９０には、複数の導電路３１５が形成されている。
【０１１８】
第１のスイッチ３０３、第２のスイッチ３０７及びダンパ３０９を作成するには、まず、第１固定接点２７６ｂ、３７２上にそれぞれクリック板（図示せず）を配置する。
【０１１９】
次に、第１ばね部３９４を折曲げ線Ｌ３で折り曲げてダンパ３０９を形成するとともに、第４プレート部３９１を第３プレート部３７１と対向させる。第４プレート部３９１の上面に支持板２０５を貼り付ける。
【０１２０】
次に、結合片３３５を折曲げ線Ｌ４で折り曲げ、第２プレート部３３２を第１プレート部３３１と対向させる。このとき、第１プレート部３３１と第２プレート部３３２との間にスペーサ（図示せず）を介在させる。
【０１２１】
次に、第２ばね部３９５を折曲げ線Ｌ５で折り曲げてダンパ３０９を形成するとともに、第１、第２プレート部３３１，３３２を支持板２０５と対向させる。
【０１２２】
次に、支持板２０５の上面に第２プレート部３３２を貼り付ける。
【０１２３】
以上の工程を経て、図２２に示すように、第１のスイッチ３０３、第２のスイッチ３０７及びダンパ３０９が作成される。
【０１２４】
第３実施形態に係る押圧操作型スイッチユニットによれば、第２実施形態に係る押圧操作型スイッチユニットと同様の作用効果が得られるとともに、第１のスイッチ３０３、第２のスイッチ３０７及びダンパ３０９を一体化したので、押圧操作型スイッチユニットをより低背化することができる。
【０１２５】
図２３はこの発明の第４実施形態に係る押圧操作型スイッチユニットを斜め上方から見たときの分解斜視図、図２４は図２３の押圧操作型スイッチユニットを斜め下方から見たときの分解斜視図、図２５は押圧操作型スイッチユニットの断面図である。
【０１２６】
第１実施形態に係る押圧操作型スイッチユニットと共通する部分については同一符号を付してその説明を省略する。以下、主な相違部分についてだけ説明する。
【０１２７】
第１実施形態は２段式の押圧操作型スイッチユニットであるが、第４実施形態は１段式の押圧操作型スイッチユニットである。
【０１２８】
図２３〜図２５に示すように、この押圧操作型スイッチユニットはノブ４０４とカバー（ケース）４０６とスイッチ４０７とベース４０８とダンパ４０９とを備える。
【０１２９】
ノブ４０４は硬質の合成樹脂で形成され、キー部４４１と板状部４４２とを有する。第１実施形態の押圧操作型スイッチユニットのノブ４のキー部４１ｂは複数であるが、第４実施形態のノブ４０４のキー部４４１は１つである。板状部４４２はキー部４４１よりも一回り大きく、キー部４４１よりも薄い。板状部４４２の下面中央には押圧突起４４２ａが形成されている。板状部４４２はキー部４４１の一面に一体に成型されている。
【０１３０】
カバー４０６の構造は第１実施形態の押圧操作型スイッチユニットのカバー６の構造と同様である。カバー４０６の開口部６１はノブ４０４のキー部４４１を上方へ逃す。
【０１３１】
スイッチ４０７は第１の実施形態の押圧操作型スイッチユニットの第２のスイッチ７と同様のものであるが、単独で用いられる。スイッチ４０７は１つの感圧部４７５を有する。感圧部４７５は第１固定接点（図示せず）と第２の固定接点４７３とクリック板４７４とで構成されている。感圧部４７５はノブ４０４の押圧突起４４２ａによって押圧される。
【０１３２】
ベース４０８は第１実施形態の押圧操作型スイッチユニットのベース８と同様のものである。
【０１３３】
ダンパ４０９は第１実施形態の押圧操作型スイッチユニットのダンパ９と同様のものであり、可撓性合成樹脂シートで形成された単一の板ばねで構成されている。また、ダンパ４０９の上面は粘着剤（図示せず）でノブ４０４の板状４４２の下面に貼り付けられている。ダンパ４０９の下面は粘着剤でスイッチ４０７の上面に貼り付けられている。
【０１３４】
この押圧操作型スイッチユニットでは、ダンパ４０９の付勢力に抗してノブ４０４のキー部４４１を指で押圧すると、ノブ４０４は下がり、ノブ４０４の押圧突起４４２ａはクリック板４７４を押圧する。押圧突起４４２ａによってクリック板４７４が所定量以上押圧されると、クリック板４７４は反転し、第１固定接点と第２固定接点４７３とが導通し、スイッチ４０７がオンになる。
【０１３５】
第４実施形態に係る押圧操作型スイッチユニットによれば、第１実施形態に係る押圧操作型スイッチユニットと同様の作用効果が得られる。
【０１３６】
なお、第４実施形態に係る押圧操作型スイッチユニットでは、ダンパ４０９に代えて、図１４〜１６に示すダンパ１０９，１０９´，１１９を用いることもできる。
【０１３７】
図２６はこの発明の第４実施形態に係る押圧操作型スイッチユニットの変形例の断面図である。
【０１３８】
この変形例では、スイッチ４０７をダンパ４０９とともに裏返し、ノブ５０４の下面に貼着している。このために、ノブ５０４の板状部５４２から押圧突起をなくし、その代わりに、感圧部４７５を押圧するための押圧突起５８４をベース５０８の中央部に形成してある。
【０１３９】
この変形例によれば、第４実施形態に係る押圧操作型スイッチユニットと同様の作用効果が得られる。
【０１４０】
図２７はこの発明の第５実施形態に係る押圧操作型スイッチユニットを斜め上方から見たときの分解斜視図、図２８は図２７に示すスイッチ及びダンパの展開図、図２９は押圧操作型スイッチユニットの断面図である。
【０１４１】
第４実施形態に係る押圧操作型スイッチユニットと共通する部分については同一符号を付してその説明を省略する。以下、主な相違部分についてだけ説明する。
【０１４２】
第４実施形態に係る押圧操作型スイッチユニットでは、スイッチ４０７とダンパ９とは分離しているが、第５実施形態に係る押圧操作型スイッチユニットでは、図２７〜２９に示すように、スイッチ６０７とダンパ６０９とが一体化されている。
【０１４３】
スイッチ６０７に１つのフレキシブル基板６９０が一構成部品として採用されている。フレキシブル基板６９０は第１プレート部６９１と第２プレート部６９２と第３プレート部６９３と第１折曲げ部６９４と第２折曲げ部６９５とを有する。
【０１４４】
第１プレート部６９１はほぼ矩形であり、中央部に孔（第１の切欠き部）６９１ａが形成されている。フレキシブル基板６９０を１８０°折り曲げた状態で、第１の孔６９１ａはスイッチ６０７の感圧部４７５と対向する。
【０１４５】
第２プレート部６９２は基板部６９２ａとテール部６９２ｂとを有する。基板部６９２ａの中央部には第１、第２固定接点４７２、４７３が形成されている。第１固定接点４７２は円形である。第２固定接点４７３はほぼＣ字形であり、第１固定接点４７２を囲んでいる。テール部６９２ｂは基板部６９２ａの一辺に結合されている。第２プレート部６９２には、導電路４１３，４１４が形成されている。導電路４１３はテール部６９２ｂの自由端から第１固定接点４７２まで延びている。導電路４１４はテール部６９２ｂの自由端から第２固定接点４７３まで延びている。第２固定接点４７３上にはクリック板４７４が配置されている。第２プレート部６９２と第１固定接点４７２と第２固定接点４７３と導電路４１３と導電路４１４とクリック板４７４とでスイッチ６０７が構成されている。
【０１４６】
第３プレート部６９３はほぼ矩形であり、中央部に孔６９３ａが形成されている。フレキシブル基板６９０を１８０°折り曲げた状態で、孔６９３ａは第１プレート部６９１の孔６９１ａに重なる。
【０１４７】
第１折曲げ部６９４は第１プレート６９１と第２プレート６９２との間に介在し、孔６９４ａを有する。
【０１４８】
第２折曲げ部６９５は第２プレート６９２と第３プレート６９３との間に介在し、孔６９５ａを有する。
【０１４９】
フレキシブル基板６９０は次のように折り畳まれる。まず、折り線Ｌ６で第１プレート部６９１を第２プレート部６９２の方へ折り返す。このとき、第１折曲げ部６９４の断面形状がＶ字形になるように折り線Ｌ６を中心にして第１折曲げ部６９４を折り曲げる。
【０１５０】
次に、折り線Ｌ７で第３プレート部６９３を第２プレート部６９２の方へ折り返すとともに、第３プレート部６９３を第１プレート部６９１の上面に貼着する。このとき、第２折曲げ部６９５の断面形状がＶ字形になるように折り線Ｌ７を中心にして第２折曲げ部６９５を折り曲げる。
【０１５１】
以上のようにして折り重ねられた第１プレート部６９１と第３プレート部６９３と第１折曲げ部６９４と第２折曲げ部６９５とでスイッチ６０７と一体化されたダンパ６０９が形成される。
【０１５２】
スイッチ６０７は両面テープ（図示せず）によってベース４０８の上面に貼着され、ダンパ６０９は粘着剤（図示せず）によってノブ４０４の下面に貼着される。
【０１５３】
第５実施形態に係る押圧操作型スイッチユニットによれば、第４実施形態に係る押圧操作型スイッチユニットと同様の作用効果が得られるとともに、スイッチ６０７とダンパ６０９とを一体化したので、部品点数が少なくなり、押圧操作型スイッチユニットの組立が容易になるとともに、押圧操作型スイッチユニットをより低背化することができる。
【図面の簡単な説明】
【０１５４】
【図１】図１はこの発明の第１実施形態に係る押圧操作型スイッチユニットを斜め上方から見たときの分解斜視図である。
【図２】図２は図１の押圧操作型スイッチユニットを斜め下方から見たときの分解斜視図である。
【図３】図３は押圧操作型スイッチユニットの断面図である。
【図４】図４は第１及び第２のスイッチの展開図である。
【図５】図５は第１のスイッチの第１感圧部の断面図である。
【図６】図６は第２のスイッチの第２感圧部の断面図である。
【図７】図７はダンパとなる板ばねの展開状態を示す斜視図である。
【図８】図８は図７に示す板ばねを裏返した状態を示す斜視図である。
【図９】図９はダンパの斜視図である。
【図１０】図１０は押圧操作型スイッチユニットのノブに指先が接触している状態を示す断面図である。
【図１１】図１１は押圧操作型スイッチユニットのノブ上の指先を移動した状態を示す断面図である。
【図１２】図１２は押圧操作型スイッチユニットのノブに指先が接触している状態を示す断面図である。
【図１３】図１３は押圧操作型スイッチユニットのノブのキー部が指先によって押圧された状態を示す断面図である。
【図１４】図１４は図７〜９に示すダンパの第１の変形例を示す斜視図である。
【図１５】図１５は同ダンパの第２の変形例を示す斜視図である。
【図１６】図１６は同ダンパの第３の変形例を示す斜視図である。
【図１７】図１７はこの発明の第２実施形態に係る押圧操作型スイッチユニットの分解斜視図である。
【図１８】図１８は図１７に示すダンパの変形例を示す斜視図である。
【図１９】図１９は図１８のＢ−Ｂ線に沿う断面図である。
【図２０】図２０はこの発明の第３実施形態に係る押圧操作型スイッチユニットの分解斜視図である。
【図２１】図２１は図２０に示す第１、第２のスイッチ及びダンパの展開図である。
【図２２】図２２は図２０に示す第１、第２のスイッチ及びダンパの斜視図である。
【図２３】図２３はこの発明の第４実施形態に係る押圧操作型スイッチユニットを斜め上方から見たときの分解斜視図である。
【図２４】図２４は図２３の押圧操作型スイッチユニットを斜め下方から見たとき  の分解斜視図である。
【図２５】図２５は押圧操作型スイッチユニットの断面図である。
【図２６】図２６はこの発明の第４実施形態に係る押圧操作型スイッチユニットの変形例の断面図である。
【図２７】図２７はこの発明の第５実施形態に係る押圧操作型スイッチユニットを  斜め上方から見たときの分解斜視図である。
【図２８】図２８は図２７に示すスイッチ及びダンパの展開図である。
【図２９】図２９は押圧操作型スイッチユニットの断面図である。
【符号の説明】
【０１５５】
３，２０３，３０３  第１のスイッチ
４，２０４  ノブ
５，２０５  支持板
６，２０６  カバー（ケース）
６１  開口部
７，２０７，３０７  第２のスイッチ
４０７，６０７  スイッチ
８，２０８，４０８  ベース
９，１０９，１１９，２０９，２１９，３０９，４０９，６０９  ダンパ
９０，３９０，６９０  板ばね（単一の板ばね）
９１，２９１，３９１，６９１  第１プレート部
９２，２９２，３９２，６９２  第２プレート部
９１ａ，２９１ａ，３９１ａ，６９１ａ  第１の孔（第１の切欠き部）
９２ａ，２９２ａ，３９２ａ，６９２ａ  第２の孔（第２の切欠き部）
９４，２９４，３９４，６９４  第１ばね部（ばね部）
９５，２９５，３９５，６９５  第２ばね部（ばね部）
１９０  板ばね（複数の板ばね）
１９１  第１固定部
１９２  第２固定部
１９４  ばね部
３６  第１感圧部
７４  クリック板
７５  第２感圧部
６９４，６９５  折曲げ部
【図１】
2007048689.tif 000003
【図２】
2007048689.tif 000004
【図３】
2007048689.tif 000005
【図４】
2007048689.tif 000006
【図５】
2007048689.tif 000007
【図６】
2007048689.tif 000008
【図７】
2007048689.tif 000009
【図８】
2007048689.tif 000010
【図９】
2007048689.tif 000011
【図１０】
2007048689.tif 000012
【図１１】
2007048689.tif 000013
【図１２】
2007048689.tif 000014
【図１３】
2007048689.tif 000015
【図１４】
2007048689.tif 000016
【図１５】
2007048689.tif 000017
【図１６】
2007048689.tif 000018
【図１７】
2007048689.tif 000019
【図１８】
2007048689.tif 000020
【図１９】
2007048689.tif 000021
【図２０】
2007048689.tif 000022
【図２１】
2007048689.tif 000023
【図２２】
2007048689.tif 000024
【図２３】
2007048689.tif 000025
【図２４】
2007048689.tif 000026
【図２５】
2007048689.tif 000027
【図２６】
2007048689.tif 000028
【図２７】
2007048689.tif 000029
【図２８】
2007048689.tif 000030
【図２９】
2007048689.tif 000031